(57)【特許請求の範囲】
【請求項１】
一部が断絶された開口部を備えた弾性のある第１環状部分によって形成され、前記第１環状部分の断絶された部分が互いに最も近接する挟持部において物体を挟持することができるクリップ部と、
前記第１環状部分の内側に形成された、一部が断絶された弾性のある第２環状部分によって、前記第１環状部分における弾性力とは独立した弾性力により前記第２環状部分の内部においてコードを挟持することができるコード保持部とを備え、前記第１環状部分と第２環状部分とが同一の部材によって一体成形され、
前記コードを挟む力の作用方向と、前記物体を挟む力の作用方向とが直交するコードクリップ。
【請求項２】
前記開口部における前記第１環状部分の断絶された部分の間隔が前記挟持部における間隔よりも大きいことを特徴とする請求項１に記載のコードクリップ。
【発明の詳細な説明】
【０００１】
【発明の属する技術分野】
本発明はイヤホンなどのコードを衣服に固定するためのコードクリップに関する。
【０００２】
【従来の技術】
従来、図３に示すようなコードクリップ１０があった。コードクリップ１０は、ばね１１、シャフト１２、および一対のはさみ部１３、１４からなるワニ口クリップ１５とコード保持部１６とから構成される。ワニ口クリップ１５とコード保持部１６とは連結されており、コード保持部１６においてイヤホンなどのコードを固定し、ワニ口クリップ１５によって衣服を挟持することでコードが衣服に固定される。
【０００３】
【発明が解決しようとする課題】
しかしながら、従来のコードクリップ１０は上述のように部品点数が多いために部品コストが上昇し、さらに各部品を組み立てるための組み立てコストも大きいという問題があった。
部品点数を減らすことを目的として、ワニ口クリップ１５によってコードと衣服とを同時に挟持させ、ワニ口クリップ１５自体をコード保持部としても機能させることも考えられるが、ワニ口クリップ１５を衣服からはずすために開くとコードも同時に外れてしまう点で不適当であった。これは、衣服を挟持するために作用する力の方向と、コードを挟持するために作用する力の方向とが同一であるからである。
【０００４】
本発明は上記の問題点に鑑みてなされたものであり、その目的は、クリップ部とコード保持部とにおいて作用する力がそれぞれ独立した力であり、且つ単一の部材によって一体成形されたコードクリップを提供することにある。
【０００５】
【課題を解決するための手段】
上記目的を達成するための本発明に係るコードクリップの第一の特徴構成は、特許請求の範囲の欄の請求項１に記載の如く、一部が断絶された開口部を備えた弾性のある第１環状部分によって形成され、前記第１環状部分の断絶された部分が互いに最も近接する挟持部において物体を挟持することができるクリップ部と、前記第１環状部分の内側に形成された、一部が断絶された弾性のある第２環状部分によって、前記第１環状部分における弾性力とは独立した弾性力により前記第２環状部分の内部においてコードを挟持することができるコード保持部とを備え、前記第１環状部分と第２環状部分とが同一の部材によって一体成形され、前記コードを挟む力の作用方向と、前記物体を挟む力の作用方向とが直交する点にある。
【０００６】
上記目的を達成するための本発明に係るコードクリップの第二の特徴構成は、特許請求の範囲の欄の請求項２に記載の如く、上記第一の特徴構成に加えて、前記開口部における前記第１環状部分の断絶された部分の間隔が前記挟持部における間隔よりも大きい点にある。
【０００８】
以下に作用並びに効果を説明する。
本発明に係るコードクリップの第一の特徴構成によれば、衣服などの物体を挟持するためのクリップ部とコードを保持するためのコード保持部とを構成する部分が弾性のある同一の部材によって一体成形されることで、部品点数を最小（１個）にすることができることから、部品コストと組み立てコストとを削減することができる。さらに、衣服などの物体を挟持するためのクリップ部において作用する弾性力とコードを挟持するためのコード保持部において作用する弾性力とが互いに独立した力であるため、両方の力が連動して作用することを排除することができる。
また、物体を挟む力と逆方向の力を印加して物体を開放しようとした場合であっても、その力の方向はコードを挟持している力と直交しているために、コードを挟持している力に対して作用が与えられることはない。従って、物体を開放しようとした場合に同時にコードが開放されることはない。
【０００９】
同第二の特徴構成によれば、開口部が挟持部よりも広がっているために、衣服などの物体を挟持部へ容易に導入することができる。具体的には、衣服などの物体を開口部にあてがい、コードクリップを押し込むことで、上記物体を挟持部において固定することができる。
【００１１】
【発明の実施の形態】
本発明に係るコードクリップを図１を参照して説明する。
本発明に係るコードクリップ１は、一部が断絶された開口部４を備えた弾性のある第１環状部分によって形成され、第１環状部分の断絶された部分が互いに最も近接する挟持部５において物体を挟持することができるクリップ部２と、第１環状部分の内側に形成された、一部が断絶された弾性のある第２環状部分によって、第１環状部分における弾性力とは独立した弾性力により第２環状部分の内部においてコードを挟持することができるコード保持部３とを備え、第１環状部分と第２環状部分とが同一の部材によって一体成形される。
【００１２】
具体的には、衣服などの物体を挟持するためのクリップ部２とコードを挟持するためのコード保持部３とを樹脂等の弾性のある材料によって一体成形することでコードクリップ１が作製される。クリップ部２には、物体を挟持し、且つ物体がずれることを防ぐための凹凸が形成された挟持部５が設けられており、環状部分が断絶された部分である開口部４が挟持部５よりも間隔を広く形成されているために、挟持部５には物体が開口部４を経て容易に導入された後、挟持される。コード保持部３はクリップ部２の内側に環状部分を設けることで形成されており、コードはその環状部分の内部に挟持される。コード保持部３における環状部分の内部の隙間の大きさは、コードがずれないように挟持し、且つコードが摺動可能である程度の大きさである。
【００１３】
図２はコードクリップ１の上面図であり、クリップ部２には衣服が、コード保持部３にはコードがそれぞれ保持されている。クリップ部２は弾性のある材料によって形成されているため、挟持部５において弾性力が作用することで衣服が挟持されており、同様にコード保持部３も弾性のある材料によって形成されているために、弾性力によってコードが挟持されている。挟持部５に作用している弾性力の方向は図２中に実線矢印で示す方向であり、コード保持部３に作用している弾性力の方向は点線矢印で示す方向である。図２から明らかであるように、両者に作用している弾性力は互いに独立した力であり、且つその方向は直交している。ここで、衣服からコードクリップ１を取り外すためには、挟持部５に作用されている弾性力と逆方向の力を印加して、挟持部５を広げる必要がある。その場合であっても、印加された力の方向とコード保持部３に作用している弾性力の方向とは直交しているため、挟持部５の隙間を広げるために印加された力によってコード保持部３の隙間が広がることはない。即ち、コードは安定してコード保持部３によって保持される。
【００１４】
上記実施形態において本発明に係るコードクリップを説明および図示した。
しかしながら、コードクリップの形状は図示したような楕円形である必要はなく、挟持部とコード保持部とに互いに独立した力が作用するような形状であれば、三角形、四角形等の多角形または円形等、どのような形状であっても構わない。さらに、コードクリップの材料は樹脂である必要はなく、弾性を備えた材料であれば良い。また、コードクリップを一体成形するに当たり加工が容易である材料であればさらに良い。
【図面の簡単な説明】
【図１】本発明に係るコードクリップを示す図である。
【図２】本発明に係るコードクリップの上面図である。
【図３】従来のコードクリップを示す図である。
【符号の説明】
１  コードクリップ
２  クリップ部
３  コード保持部
４  開口部
５  挟持部
１０  コードクリップ
１１  ばね
１２  シャフト
１３、１４  はさみ部
１５  ワニ口クリップ
１６  コード保持部
【図１】
0003797855.tif 000002
【図２】
0003797855.tif 000003
【図３】
0003797855.tif 000004